(57)【要約】【課題】  歌唱者がカラオケの歌詞文字に基づいて、歌唱箇所を直感的に把握でき、さらに、メロディを連想するように歌詞文字を表示するようにしたカラオケ装置を提供することを目的とする。【解決手段】  記憶手段に記憶された楽曲データに基づいて演奏手段によって楽曲を演奏させる際、演奏の進行に伴って、歌唱箇所指示手段による進行箇所を前記楽曲の進行テンポに同期させて進行させるとともに、歌詞表示手段における歌詞文字表示位置を歌唱タイミング位置に配置させてなるカラオケ装置。【選択図】図５
2014130302.tif 000002
【特許請求の範囲】
【請求項１】
楽曲データ及びこの楽曲データの歌詞の内容を表す歌詞データを記憶する記憶手段と、
前記記憶手段に記憶された楽曲データに基づいて楽曲を演奏する演奏手段と、
前記記憶手段に記憶された楽曲データと歌詞データに基づいて歌詞文字を表示する歌詞表示手段と、
前記演奏手段による歌唱の進行に伴って、表示された歌詞データの進行箇所を表示する歌唱箇所指示手段と、
前記記憶手段、演奏手段、歌詞表示手段、歌唱箇所指示手段を制御する制御手段を備えたカラオケ装置であって、
前記制御手段は、前記記憶手段に記憶された楽曲データに基づいて演奏手段によって楽曲を演奏させる際、演奏の進行に伴って、前記歌唱箇所指示手段による進行箇所を前記楽曲の進行テンポに同期させて同一テンポで進行させるとともに、前記歌詞表示手段における歌詞文字表示位置を歌唱タイミング位置に配置させてなることを特徴とするカラオケ装置。
【請求項２】
前記制御手段は、前記演奏手段による楽曲の旋律における音高に基づいて、前記歌詞表示手段による歌詞文字を上下位置に表示してなることを特徴とする前記請求項１記載のカラオケ装置。
【請求項３】
前記制御手段は、前記歌詞表示手段における歌詞文字表示位置を歌唱タイミング位置に配置させてなる歌詞文字と、楽曲の旋律における音高に基づいて前記歌詞文字を上下位置に表示してなる歌詞文字をそれぞれ別に表示してなることを特徴とする前記請求項２記載のカラオケ装置。
【請求項４】
前記制御手段は、前記歌詞表示手段における歌詞文字表示位置を歌唱タイミング位置に配置させてなる歌詞文字と、この歌詞文字に対応して、楽曲の旋律における音高に基づいて上下位置に配される音程ガイドを対にして表示してなることを特徴とする前記請求項１記載のカラオケ装置。
【発明の詳細な説明】
【技術分野】
【０００１】
本発明は、楽曲演奏とともに歌詞文字を表示するカラオケ装置において、歌唱箇所を直感的に把握し、それとともにメロディを連想するように歌詞文字を表示するようにしたカラオケ装置に関する。
【背景技術】
【０００２】
従来のカラオケ装置は、楽曲を演奏しながら歌詞文字を表示し、さらに歌唱の進行とともに、この歌詞文字を色変わりさせて歌唱箇所を指示する機能を備えている。
【０００３】
従って、初めての楽曲でも歌唱者は簡単に歌えるとされている。しかし、実際には、何度も聴いたり、歌唱した楽曲でなければ、歌えないのが現状である。
【０００４】
そこで、楽曲の演奏とともに楽譜を表示することを試みたが、楽譜を読めない歌唱者も多数いることに鑑みて、あまり利用されないと考えた。また先行技術として、特許文献１に楽曲の旋律における音高に基づいて歌詞文字を上下位置に表示してなる技術が開示されている。
【先行技術文献】
【特許文献】
【０００５】
【特許文献１】特開２０００−２９３１８３号公報
【発明の概要】
【発明が解決しようとする課題】
【０００６】
特許文献１は、楽譜が読めない歌唱者でも直感的に楽曲の音高が把握できるが、楽曲の演奏とともに歌唱タイミングがあらかじめ直感的に把握できない。すなわち従来のカラオケ装置は、歌詞文字が一定間隔で配列されたものを使用してなり、歌唱の進行とともに、この歌詞文字を色変わりさせるようにしたものである。従って、色変わりタイミングが早くなったり遅くなったりして歌唱箇所を知らせてくれるものの直感的に歌唱者は、タイミングがわからない。カラオケメーカーは、この歌唱箇所を知らせる色変わりテロップを多少早めに（例えば人間が反応するタイムラグを考慮して０．２秒程度早めに）色変わりさせるなどの工夫をしている。
【０００７】
しかしこれでは歌唱者が、心の準備ができず、結局は何度も歌唱したり、何ども聴いた楽曲でなければ実際には歌えないのが現状であるというクレームが多かった。
【０００８】
本発明は、これらの点に鑑み、歌唱者がカラオケの歌詞文字に基づいて、心の準備が充分得られ、歌唱箇所を直感的に把握でき、そしてさらにメロディを連想するように歌詞文字や音程ガイドを表示するようにしたカラオケ装置を提供することを目的とする。
【課題を解決するための手段】
【０００９】
上記目的を達成するため本発明の請求項1は、楽曲データに基づいて演奏手段によって楽曲を演奏させる際、演奏の進行に伴って、歌唱箇所指示手段による進行箇所を楽曲の進行テンポに同期させて一定に進行指示させるとともに、歌詞表示手段における歌詞文字表示位置を歌唱タイミング位置に配置させて表示させるようにしたものである。
【００１０】
請求項２は、演奏手段による楽曲の旋律における音高に基づいて、歌詞表示手段による歌詞文字を上下位置に表示してなるようにした。
【００１１】
請求項３は、歌詞表示手段における歌詞文字表示位置を歌唱タイミング位置に配置させてなる歌詞文字と、請求項２における楽曲の旋律における音高に基づいて歌詞文字を上下位置に表示してなる歌詞文字をそれぞれ別に表示してなる構成としたものである。
【００１２】
請求項４は、歌詞表示手段における歌詞文字表示位置を歌唱タイミング位置に配置させてなる歌詞文字と、この歌詞文字に対応して、楽曲の旋律における音高に基づいて上下位置に配される音程ガイドを対にして表示してなるようにしたものである。
【発明の効果】
【００１３】
本発明によると、演奏の進行に伴って、歌唱箇所指示手段による進行箇所を楽曲の進行テンポに同期させて進行指示させる。すなわち歌唱箇所指示手段が楽曲の進行テンポと同期しているので、一定の速さで、歌唱箇所を指示されながら歌詞文字が歌唱タイミング位置に表示され、歌唱者は目視により歌唱タイミングが直感的に把握できる。
【図面の簡単な説明】
【００１４】
【図１】本発明の一実施例を示すカラオケ装置の概念説明図。
【図２】本発明の請求項１に記載の一実施例を示す歌詞文字と歌唱箇所指示手段の説明図。
【図３】本発明の請求項２に記載の一実施例を示す歌詞文字と歌唱箇所指示手段の説明図。
【図４】本発明の請求項３に記載の一実施例を示す歌詞文字と歌唱箇所指示手段の説明図。
【図５】本発明の請求項４に記載の一実施例を示す歌詞文字と歌唱箇所指示手段の説明図。
【発明を実施するための形態】
【００１５】
以下に本発明の実施例を図に基づいて説明する。図１に示すカラオケ装置１は、楽曲データ及びこの楽曲データの歌詞の内容を表す歌詞データを記憶する記憶手段として、ハードディスク（ＨＤＤ）１０を備えている。これら楽曲データは、データバス２を介して演奏手段である演奏部３に転送され、楽曲演奏が行われ、マイク４やスピーカ５が接続されて、歌唱者の声とミキシングして、このスピーカ５でカラオケ演奏が行えるようになっている。
【００１６】
一方、楽曲データと歌詞データに基づいた歌詞文字が歌詞表示手段であるモニタ９に表示され、歌唱者は、歌唱タイミングを確認しながら歌うことができるようになっている。
【００１７】
制御部６は、演奏部３での演奏プログラムや歌詞表示手段、歌唱箇所指示手段となるプログラムを制御するものであり、また、本発明のカラオケ装置は通信カラオケなので通信制御部１１も備えている。
【００１８】
演奏部３による歌唱の進行に伴って、表示された歌詞データの進行箇所を表示する歌唱箇所指示手段である色変わりワイプ２３は、歌唱箇所を指し示すように色変わりして、歌唱者に知らせるが、本発明での色変わりは、楽曲の進行テンポに同期させ一定の速度で進行する。すなわちテンポが変わらない曲であれば、一定スピードで色変わりすると共に、歌詞文字の文字表示位置を歌唱タイミング位置に配置させてなるようにしたものである（図２乃至図５参照）。
【００１９】
すなわち本発明の請求項１は、図２に示されるように、楽曲の進行テンポに同期させて一定スピードで色変わりすると共に、歌詞文字２１の文字表示位置を歌唱タイミング位置に配置させてなるので直感的に歌唱タイミングが把握できるものである。
【００２０】
次に本発明の請求項２に記載の実施例として図３に示すように、演奏手段による楽曲の旋律における音高に基づいて前記歌詞文字２１ｂをピアノロール上に上下位置に表示しても良いものであり、こうすることで歌詞の音程も直感的に把握することができる。
【００２１】
さらに、図４のように本発明の他の実施例（請求項３）として、歌詞表示手段における歌詞文字表示位置を歌唱タイミング位置に配置させてなる下部の歌詞文字２１と、楽曲の旋律における音高に基づいて歌詞文字を上下位置に表示してなる歌詞文字をそれぞれ別に表示しても良い。
【００２２】
また理想的には、請求項４の発明として、図５に示されるように歌詞表示手段における歌詞文字表示位置を歌唱タイミング位置に配置させてなる歌詞文字だけでなく、楽曲の旋律における音高に基づいて、この歌詞文字に対応して、楽曲の旋律における音高に基づいて上下位置に配される音程ガイド２２を対にして表示してなるようにしても良い。
【００２３】
本発明における、「歌唱箇所指示手段による進行箇所を楽曲の進行テンポに同期させて同一テンポで進行させる」点について、音楽進行が途中で変わるものは、同期させて変わればよく、必ずしも全体が一定という概念ではない。また、一定とは、色変わりを実行するテロップが連続して同一スピードでワイプしていく他、例えば４拍子の曲であれば、４拍の拍子を打ちながら連続的に進行していけば良いものであって、必ずしもスムーズな連続スピードでないものであっても良いものである。
【００２４】
さらに、上記実施例において上下位置に表示した歌詞文字２１や音程ガイド２２などは、背景が白紙であってもよく、本実施例のようにピアノロールで表現するものや音楽の五線などが表示されても良い。
【００２５】
以上本発明によれば、演奏の進行に伴って、歌唱箇所指示手段による進行箇所を楽曲の進行テンポに同期させて進行指示させており、一定の音楽の進行スピードに色変わりテロップが進行し、そして歌詞文字が歌唱タイミング位置に表示されているので、歌唱者は初めての歌でも、歌詞の歌唱タイミングが目視によりあらかじめ直感的に把握できる。
【符号の説明】
【００２６】
１…カラオケ装置
２…データバス
３…演奏部
４…マイク
５…スピーカ
６…制御部
７…ＲＡＭ
８…操作部
９…モニタ
１０…ハードディスク
１１…通信制御部
２１、２１ｂ…歌詞文字
２２…音程ガイド
２３…色変わりワイプ
【図１】
2014130302.tif 000003
【図２】
2014130302.tif 000004
【図３】
2014130302.tif 000005
【図４】
2014130302.tif 000006
【図５】
2014130302.tif 000007